(57)【特許請求の範囲】
【請求項１】
棟の長さ方向に所定間隔で多数配置されるアーチパイプによって構成された屋根に合成樹脂製フィルムを張って構成される温室において、以下の構成を採用したことを特徴とする温室の屋根構造。
（１−１）前記多数のアーチパイプは、上面にフィルム定着金具が取り付けられたフィルム定着用パイプと、フィルムを下方から支えるだけのフィルム支持用パイプとから構成され、前記フィルム定着用パイプ同士の間には、棟の長手方向に少なくとも１本以上のフィルム支持用パイプが位置する様に構成されていること。
（１−２）前記フィルム定着用パイプは、左右の柱から斜め上方に伸びる様に配置された傾斜部材によって構成される三角形状枠部の上に設置されていること。
（１−３）前記傾斜部材は、前記フィルム定着用パイプの両端をスライド可能に掛け渡すためのスライド支持金具と、該スライド支持金具間のほぼ真ん中辺りに突出量調節可能に螺合されたネジ棒部材と、該ネジ棒部材の上端に取り付けられ、フィルム定着用パイプの中程を上方から押さえる押さえ金具とを備えていること。
【請求項２】
さらに、以下の構成をも備えていることを特徴とする請求項１記載の温室の屋根構造。
（２−１）前記スライド支持金具は、Ｕ字状に曲げられて、前記傾斜部材の側面を挟む様にして取り付け得るＵ字部品と、該Ｕ字部品の曲がり部分に固定された筒状部品とから構成され、前記傾斜部材を棟の長さ方向に貫通する軸に対して回動可能な状態に取り付けられていること。
【発明の詳細な説明】
【技術分野】
【０００１】
本発明は、合成樹脂製フィルムを張って構成される温室の屋根構造に係り、詳しくは、フィルムを被覆した後にテンションを調節することのできる温室の屋根構造に関する。
【背景技術】
【０００２】
従来、図５に示す様に、フレーム毎に設置した取付レールに固定された縦ガイドレールの間にシートを展張したビニールハウスが知られている（特許文献１）。この特許文献１のビニールハウスは、フレームの間の中央にテンション用中央枠が設けられている。このテンション用中央枠は固定構造となっており、タンバックルを操作することによって張り具合を調節することができる様に掛け渡されたベルトが備えられている。このベルトは、シートの内面側に形成した袋の中に通されている。この結果、タンバックルを操作してベルトを引っ張ることで、シートをしっかりと張った状態にすることができる様になっている。
【０００３】
また、図６に示す様に、連棟型温室において、アルミ押型材で形成した谷樋部材に、温室用フィルムの一端を定着したフィルム定着部材を係止するための係止部を突設しておき、フィルム定着部材の裏面に係止部に係合する爪を備えさせ、谷樋部材に突設した位置決め部とフィルム定着部の位置決め部とを引き寄せる様にボルトを締めることによってフィルムの張り具合を調節する様にしたものが提案されている（特許文献２）。
【特許文献１】特開平７−１１１８３１号公報（図３〜５，１０，１４）
【特許文献２】特開２００６−１８７２２４号公報（図１）
【発明の開示】
【発明が解決しようとする課題】
【０００４】
特許文献１が提案するテンション調節方法では、袋付きの特殊なシートが必要になるという問題がある。
【０００５】
特許文献２の提案では、当該文献の段落００３４にも記載されている様に、「同時に複数台の増力装置付引寄金具を使用して、１台毎に少しずつ幅寄せを行うようにして引寄せるという作業を複数台の増力装置付引寄金具に対して繰り返し行うことが必要」となり、テンションを付与する作業に多大な手間を要するという問題がある。
【０００６】
そこで、本願は、屋根材として合成樹脂製フィルムを用いる温室において、フィルムの張り具合を容易に調節することができる様にすることを目的としてなされた。
【課題を解決するための手段】
【０００７】
上記目的を達成するためになされた本発明の温室の屋根構造は、棟の長さ方向に所定間隔で多数配置されるアーチパイプによって構成された屋根に合成樹脂製フィルムを張って構成される温室において、以下の構成を採用したことを特徴とする。
（１−１）前記多数のアーチパイプは、上面にフィルム定着金具が取り付けられたフィルム定着用パイプと、フィルムを下方から支えるだけのフィルム支持用パイプとから構成され、前記フィルム定着用パイプ同士の間には、棟の長手方向に少なくとも１本以上のフィルム支持用パイプが位置する様に構成されていること。
（１−２）前記フィルム定着用パイプは、左右の柱から斜め上方に伸びる様に配置された傾斜部材によって構成される三角形状枠部の上に設置されていること。
（１−３）前記傾斜部材は、前記フィルム定着用パイプの両端をスライド可能に掛け渡すためのスライド支持金具と、該スライド支持金具間のほぼ真ん中辺りに突出量調節可能に螺合されたネジ棒部材と、該ネジ棒部材の上端に取り付けられ、フィルム定着用パイプの中程を上方から押さえる押さえ金具とを備えていること。
【０００８】
本発明の温室の屋根構造によれば、フィルム定着用パイプのフィルム定着金具に屋根構成用の合成樹脂フィルムを定着した後、ネジ棒部材を回転させてフィルム定着用パイプの中程を下方へ引き下げる。このとき、フィルム定着用パイプの両端は、スライド支持金具によってスライドする。こうしてフィルム定着用パイプを下方に引き下げると、途中のフィルム支持用パイプの上面に合成樹脂フィルムの下面がしっかりと当接し、フィルムにテンションが付与される。
【０００９】
ここで、途中のフィルム支持用パイプを上方へ押し上げることによっても同様の状態となるものの、例えば、フィルム定着用パイプ間に２本以上のフィルム支持用パイプが設置されている場合には、押し上げたフィルム支持用パイプの隣のフィルム支持用パイプにおいてはフィルムがパイプから離れることとなり、十分な張り具合にすることができない。従って、フィルム支持用パイプを押し上げる様に構成する場合は、全てのフィルム支持用パイプを押上可能な構造とすると共に、各フィルム支持用パイプの押上量を少しずつ調節しなければならず、従来技術に似た手間が必要になる。
【００１０】
本発明は、フィルム支持用パイプを押し上げるのではなく、フィルム定着用パイプを引き下げる構造としたことにより、引き下げ操作によってフィルムは中間位置のフィルム支持用パイプの上面にしっかりと押し付けられるから、テンション付与作業の手間を減少することができる。また、中間のフィルム支持用パイプが２本以上存在する場合には、アーチパイプを上下動させるための機構の設置数を少なくすることができる。
【００１１】
ここで、本発明の温室の屋根構造においては、さらに、以下の構成をも採用することができる。
（２−１）前記スライド支持金具は、Ｕ字状に曲げられて、前記傾斜部材の側面を挟む様にして取り付け得るＵ字部品と、該Ｕ字部品の曲がり部分に固定された筒状部品とから構成され、前記傾斜部材を棟の長さ方向に貫通する軸に対して回動可能な状態に取り付けられていること。
【００１２】
かかる構成をも採用することにより、テンション調節の作業を行う際のフィルム定着用パイプの動きがスムーズになり、フィルムに対して無理な力が加わるのを防止することができる。
【発明の効果】
【００１３】
本発明によれば、合成樹脂製フィルムを屋根材として用いた温室において、フィルムの張り具合を容易に調節することができる。
【発明を実施するための最良の形態】
【００１４】
以下、本発明を具体化した実施形態について図１〜図４を参照しつつ詳細に説明する。
【００１５】
実施形態の温室は、棟の長さ方向に所定間隔で多数配置されるアーチパイプによって構成された屋根に合成樹脂製フィルムを張って構成される。この屋根１は、図１に示す様に、上面にフィルム定着金具２が取り付けられたフィルム定着用パイプ３と、フィルムを下方から支えるだけのフィルム支持用パイプ４とから構成され、フィルム定着用パイプ３，３同士の間には、棟の長手方向に２本以上のフィルム支持用パイプ４が位置する様に構成されている。
【００１６】
図２に示す様に、フィルム定着用パイプ３は、左右の柱５，６から斜め上方に伸びる様に配置された傾斜部材７，８によって構成される三角形状枠部の上に設置される。この傾斜部材７，８の両端には、フィルム定着用パイプ３の両端をスライド可能に掛け渡すためのスライド支持金具１１，１２と、スライド支持金具１１，１２間のほぼ真ん中辺りに突出量調節可能に螺合されたネジ棒部材２１と、ネジ棒部材２１の上端に取り付けられ、フィルム定着用パイプ３の中程を上方から押さえる押さえ金具２２とが取り付けられている。
【００１７】
傾斜部材７，８は、鋼製の角パイプで構成されている。また、各アーチパイプ３，４は鋼管で構成されている。また、左右の傾斜部材７，８の接合部分には、棟木９が棟の長さ方向に連続する様に取り付けられている。フィルム定着金具２は、フィルム定着用パイプ３の上面に上向きで、、棟木９の頂上に左右外向きで、谷樋１０の上部に上向きで、それぞれ取り付けられている。
【００１８】
スライド支持金具１１，１２は、鋼板をＵ字状に曲げられて傾斜部材の側面を挟む様にして取り付け得るＵ字部品１１ａ，１２ａと、Ｕ字部品の曲がり部分に溶接固定された筒状部品１１ｂ，１２ｂとから構成される。筒状部品１１ｂ，１２ｂには、鋼製パイプを用いる。そして、スライド支持金具１１，１２は、傾斜部材７，８に対して、棟の長さ方向に貫通する軸の周りに回動可能な状態となる様にボルトで取り付けられている。
【００１９】
ネジ棒部材２１は、下端に六角部２１ａを備えた長いボルト２１ｂで構成され、傾斜部材７，８の裏面に溶接固定されたナット７ａ，８ａに螺合されている。このナット７ａ，８ａが取り付けられる部分には、鋼製のコ字状プレート７ｃ，８ｃが補強用としてボルトで固定されている。
【００２０】
押さえ金具２２は、鋼板を山形に曲げた山形プレート２２ａと、鋼板を台形に折り曲げた台形プレート２２ｂとをボルトで締めて組み立てたものとなっている。
【００２１】
本実施形態においては、フィルム定着用パイプ３のフィルム定着金具２に屋根構成用の合成樹脂フィルムを定着した後、ネジ棒部材２１を突出量を減らす方向に回転させる。このとき、フィルム定着用パイプ３の両端は、スライド支持金具１１，１２の回動と、筒状部品に沿ったスライドによって無理なく曲率を変化させる。そして、フィルム定着用パイプ３が全体として下方に引き下げられる。この結果、途中のフィルム支持用パイプ４の上面にはフィルムの下面がしっかりと当接し、フィルムにテンションが付与される。
【００２２】
以上、発明を実施するための最良の形態としての一実施形態を説明したが、本発明は、これに限定されるものではなく、その要旨を逸脱しない範囲内における種々の変更が可能である。
【図面の簡単な説明】
【００２３】
【図１】実施形態の温室の屋根の概略斜視図である。
【図２】実施形態の温室の屋根構造を示す正面図である。
【図３】実施形態におけるスライド支持金具を示し（Ａ）は正面図、（Ｂ）は側面図である。
【図４】実施形態におけるネジ部材及び押さえ金具を示す正面図である。
【図５】特許文献１の説明図である。
【図６】特許文献２の説明図である。
【符号の説明】
【００２４】
１・・・屋根
２・・・フィルム定着金具
３・・・フィルム定着用パイプ
４・・・フィルム支持用パイプ
５，６・・・柱
７，８・・・傾斜部材
７ａ，８ａ・・・ナット
７ｃ，８ｃ・・・コ字状プレート
９・・・棟木
１０・・・谷樋
１１，１２・・・スライド支持金具
１１ａ，１２ａ・・・Ｕ字部品
１１ｂ，１２ｂ・・・筒状部品
２１・・・ネジ棒部材
２１ａ・・・六角部
２１ｂ・・・長いボルト
２２・・・押さえ金具
２２ａ・・・山形プレート
２２ｂ・・・台形プレート
【要約】
【課題】合成樹脂製フィルムを屋根材として用いた温室において、フィルムの張り具合を容易に調節する。
【解決手段】温室の屋根は、フィルム定着用パイプ同士の間に、フィルムを下方から支えるだけのフィルム支持用パイプが２本以上位置する様に構成される。フィルム定着用パイプ３は、左右の柱５，６から斜め上方に伸びる様に配置された傾斜部材７，８によって構成される三角形状枠部の上にスライド支持金具１１，１２を介してスライド可能に設置される。また、スライド支持金具１１，１２間のほぼ真ん中辺りには、突出量調節可能に螺合されたネジ棒部材２１と、ネジ棒部材２１の上端に取り付けられ、フィルム定着用パイプ３の中程を上方から押さえる押さえ金具２２とが取り付けられている。
【選択図】  図２【図１】
0004105219.tif 000002
【図２】
0004105219.tif 000003
【図３】
0004105219.tif 000004
【図４】
0004105219.tif 000005
【図５】
0004105219.tif 000006
【図６】
0004105219.tif 000007